(57)【要約】【課題】本発明が解決しようとする課題は、分子検出素子及び分子検出装置を提供する。【解決手段】上記の課題を達成するために、実施形態の分子検出素子は、被検出分子が通過でき、交雑物は通過できない隙間を備える多孔層４１と、被検出分子を検出して検出信号を出力するセンサー部２１と、を具備する。【選択図】図１
2019168276.tif 000002
【特許請求の範囲】
【請求項１】
被検出分子が通過でき、交雑物は通過できない隙間を備える多孔層と、
前記被検出分子を検出して検出信号を出力するセンサー部と、
を具備する分子検出素子。
【請求項２】
前記センサー部は、前記被検出分子を有機物プローブが捕捉することで前記検出信号を出力する請求項１に記載の分子検出素子。
【請求項３】
前記多孔層は、パウダー状又はフレーク状の絶縁体を含む請求項１又は２に記載の分子検出素子。
【請求項４】
前記絶縁体は、酸化グラフェンである請求項３に記載の分子検出素子。
【請求項５】
前記センサー部と前記多孔層の間に設けられ、ナノ粒子を含むナノ粒子層を具備し、
前記ナノ粒子層は、前記絶縁体を支持するために設けられる請求項３又は４に記載の分子検出素子。
【請求項６】
前記有機物プローブは、前記ナノ粒子に結合している請求項５に記載の分子検出素子。
【請求項７】
前記ナノ粒子は、１ｎｍ以上１０ｎｍ以下の直径を有する金属粒子、カーボン粒子、又は金属酸化物粒子である請求項５又は６に記載の分子検出素子。
【請求項８】
前記センサー部は、グラフェン層と、前記グラフェン層に接続されたソース電極およびドレイン電極とを有する電界効果トランジスタである請求項１から７のいずれか１項に記載の分子検出素子。
【請求項９】
請求項１から８のいずれか１項に記載の分子検出素子と、
前記被検出分子及び前記交雑物を捕集する捕集部と、
前記検出信号により前記被検出分子を識別する識別器と、を具備する分子検出装置。
【請求項１０】
複数の前記検出素子を具備し、
前記識別器は、複数の前記検出信号の強度差に基づく信号パターンにより前記被検出分子を識別する請求項９に記載の分子検出装置。
【請求項１１】
パウダー状又はフレーク状の絶縁体を含み、被検出分子が通過でき交雑物は通過できない隙間を備える多孔層と、
前記多孔層を通過した前記被検出分子を捕捉する有機物プローブと、
前記絶縁体を支持し、前記有機物プローブが結合したナノ粒子を含むナノ粒子層と、
前記ナノ粒子層を前記多孔層と挟み、前記被検出分子を前記有機物プローブが捕捉することで検出信号を出力するセンサー部と、を具備する分子検出素子。
【発明の詳細な説明】
【技術分野】
【０００１】
本発明の実施形態は、分子検出素子及び分子検出装置に関する。
【背景技術】
【０００２】
災害現場やテロ行為が行われた現場等においては、ガス成分を検出することで、事前に危険性を察知することが望まれている。ガス濃度が比較的高い場合には検出する方法としては種々の方法が知られているが、極低濃度に相当するｐｐｂ（十億分の１）からｐｐｔ（一兆分の１）の濃度では検出方法が限られている。こうした方法の中に、被検出ガスとセンサー面に設けられた反応基との間で相互作用させることでガス成分を検出する手法がある。
【０００３】
空間中には被検出ガスの他に、顕微鏡でしか視認できないような微細なパーティクル、また人の咳から出てくるタンパク質やウイルスなどの交雑物が無尽蔵に漂っている。このような空間中から空気を取り込んで分析する際はフィルタを通過させてセンサー面に導かないとセンサー面に交雑物が入り込んで、ガス検出を阻害してしまう。交雑物を取り除くためにフィルタの目を細かくしてゆくと、空気の取り込みに高い圧力を要してしまうため、取り込み効率が悪くなってしまう。そのため空気の取り込みに高い圧力を要さずに、ガス検出することが求められる。
【先行技術文献】
【特許文献】
【０００４】
【特許文献１】特表２０１３‐５２９３０８号公報
【特許文献２】特開２００１‐０７４６９０号公報
【特許文献３】特表２０１１‐５２６３６２号公報
【特許文献４】特開２０１０‐１５１７１９号公報
【特許文献５】特開２０１７‐１５６３４６号公報
【特許文献６】特開２００３-１３９７７５号公報
【発明の概要】
【発明が解決しようとする課題】
【０００５】
本発明の実施形態は、空気の取り込みに高い圧力を要さずに、ガス検出ができる分子検出素子を提供する。
【課題を解決するための手段】
【０００６】
上記の課題を達成するために、実施形態の分子検出素子は、被検出分子が通過でき、交雑物は通過できない隙間を備える多孔層と、被検出分子を検出して検出信号を出力するセンサー部と、を具備する。
【図面の簡単な説明】
【０００７】
【図１】第１の実施形態に係る分子検出装置１００の一例を示すブロック図。
【図２】第１の実施形態に係る分子検出装置１００の一例を示すブロック図。
【図３】第１の実施形態に係る分子検出装置１００の断面を示す図。
【図４】ナノ粒子に有機物プローブを結合させた例を示す図。
【図５】多孔層の一例を示す図。
【図６】分子検出装置１００による被検出分子１の検出波形の一例を示す図。
【図７】ＧＦＥＴ２１を上部から見た図。
【図８】検出素子２３を含んだ検出器２０の認識結果を示す図。
【図９】有機物プローブを構成する有機化合物の代表例を示す図。
【図１０】被検出分子１の検出情報を、情報ネットワークを介して送信する機能、および検出情報と情報ネットワークから取得する参照情報とを照合する機能を備える情報処理部３０が付属または内設された分子検出装置１００の構成例を示す図。
【図１１】有機物プローブを構成する有機化合物の代表例を示す図。
【図１２】第２の実施形態に係る分子検出装置を示す図。
【発明を実施するための形態】
【０００８】
以下図面を参照して、本発明の実施形態を説明する。同じ符号が付されているものは、互いに対応するものを示す。なお、図面は模式的または概念的なものであり、各部分の厚みと幅との関係、部分間の大きさの比などは、必ずしも現実のものと同一とは限らない。また、同じ部分を表す場合であっても、図面により互いの寸法や比が異なって表される場合もある。
【０００９】
（第１の実施形態）
図１は実施形態の分子検出装置１００を示すブロック図である。図１に示す分子検出装置１００は、例えばガス発生元から発生した被検出分子（被検出物）１および微粒子等の交雑物４を含む検出対象ガス３から被検出分子１を検出する装置であり、捕集部１０と検出器（分子検出器）２０と識別器３０とを備えている。検出対象ガス３は、まず分子検出装置１００の捕集部１０で捕集される。捕集部１０は、検出対象ガス３の捕集口を有しており、ガス流路１１を介して検出器２０に接続されている。捕集部１０は、検出対象ガス３中に含まれる微粒子等の交雑物４を除去できるフィルタを備えていてもよい。捕集部１０にフィルタを備える場合は、フィルタの目は粗いもの（例えば、ガラスフィルターやガラス繊維シートであり、寸法縦１００μｍ横１００μｍのもの）を使って通気性を確保できるものが使用される。
【００１０】
検出対象ガス３は、被検出分子１に類似する分子量や分子構造等を有する物質を不純物として含んでいる場合がある。また、空気中に漂う被検出分子１は、におい成分や微粒子等の様々な交雑物４と混ざった状態で存在することが多い。このような点から、検出対象ガス３は図２に示すように、予めフィルタ装置５や分子分配装置６等で前処理した後に、分子検出装置１００に送るようにしてもよい。
【００１１】
フィルタ装置５には、一般的な中高性能フィルタ等が用いられる。フィルタ装置５において、検出対象ガス３中に含まれる交雑物４の全て除去されることが望ましいが、交雑物４のサイズに合わせてフィルタの目を細かくしていくと、空気の取り込みに高い圧力を要してしまうため、取り込み効率が悪くなってしまう。そのためフィルタの目は粗いもの（例えば、ガラスフィルターやガラス繊維シートであり、寸法縦１０μｍ横１０μｍのもの）を使って通気性を確保できるものが使用される。被検出分子１および捕集部１０又はフィルタ装置５で除去できなかった交雑物４を含む検出対象ガス３は、分子分配装置６に送られる。分子分配装置６としては、検出対象ガス３をイオン化してイオン化物質群とし、イオン化物質群に電圧を印加して質量に比例する速度で飛行させ、この質量差による飛行速度およびそれに基づく飛行時間を利用して、イオン化物質群から被検出分子１のイオン化物質を分離する装置が挙げられる。このような分子分配装置６としては、イオン化部、電圧印加部、および飛行時間分離部を備える装置が用いられる。
【００１２】
被検出分子１を含む検出対象ガス３は、直接もしくはフィルタ装置５や分子分配装置６等の装置で前処理された後に捕集部１０で捕集される。捕集部１０で捕集された被検出分子１は、ガス流路１１を介して検出器２０に送られる。検出器２０は、図３に示すように、複数の検出素子２３に区画された検出面２０Ａを備えている。検出器２０の検出面２０Ａは、ガス流路１１の被検出分子１の導出口（図示せず）に向けて配置されている。複数の検出素子２３は、それぞれ検出信号を出力するセンサー部２１と、センサー部２１の上に設けられたナノ粒子層４０と、および多孔層４１とを備えている。ここで、「上」とは積層方向を示しており、検出対象ガス３が導入される側である。ｚ軸は、積層方向を示しており、ｘｙ軸は、ｚ軸に直交する水平方向を示している。図３はセンサー部２１にグラフェン電界効果トランジスタ（ＧＦＥＴ）を用いた例である。
【００１３】
センサー部２１としてのＧＦＥＴは、ゲート電極として機能する半導体基板２４と、半導体基板２４上にゲート絶縁層として設けられた絶縁膜２５と、絶縁膜２５上にチャネルとして設けられたグラフェン層２６と、グラフェン層２６の一端に設けられたソース電極２７と、グラフェン層２６の他端に設けられたドレイン電極２８とを備えている。グラフェン層２６上には、有機物プローブ（図３では図示せず）を含んだナノ粒子を備えるナノ粒子層４０が設けられ、ナノ粒子層４０上には、被検出分子１が通過できるが交雑物４は通過できない程の隙間を備える多孔層４１が設けられる。この隙間の大きさは、被検出分子１の通過性と交雑物４の非通過性を同時に備えることから、１０ｎｍ以上１００ｎｍ以下であることが望ましい。また、交雑物４は、被検出分子１よりも大きいことが想定される。検出器２０に導かれた被検出分子１は、多孔層４１の隙間を通過してナノ粒子層４０の有機物プローブに捕捉される。有機物プローブに捕捉された被検出分子１からＧＦＥＴに電子が移動することで電気的な検出が行われる。このようにして、目的とする被検出分子１が検出される。
【００１４】
ナノ粒子層４０は、被検出分子１を捕捉すると共に、多孔層４１を支持する。ナノ粒子としては１〜１０ｎｍ前後の直径を有する金や銀の金属ナノ粒子、ナノカーボン粒子または鉄やジルコニウムなどの酸化物のナノ粒子などが用いられ、この粒子表面に化学結合で有機物プローブを結合させる。図４は、ナノ粒子に有機物プローブを結合させた例を示す図である。図４（ａ）に示すように金ナノ粒子を用いた金ではチオール基（ＳＨ）末端を有した分子（有機物プローブ）が良好に結合する。チオール基（ＳＨ）末端を有した化合物を有機溶剤中に溶解させ、その中にナノ粒子を分散させることで有機プローブを含むナノ粒子を形成できる。また、図４（ｂ）に示すようにナノカーボン（ナノダイヤモンド）粒子を用いる場合は、ナノカーボン粒子表面は水酸基（ＯＨ）で覆われているものを用いる。この水酸基にカルボン酸（ＣＯＯＨ）末端を持った分子またはアミノ基（ＮＨ２）末端を持った分子がイオン結合によりナノカーボン粒子表面に結合する。共有結合で結合することもできるが、合成工程が複雑になるのでイオン結合の方が好適である。カルボン酸を結合することで溶解性が変化し、水中へ分散していたナノカーボン粒子が有機溶媒中への分散するようになる。この性質を利用して有機溶剤中に分散させてグラフェン層２６上に塗布する。塗布はスピンコートが好適である。分散しているナノ粒子量、スピン回転数などを調節することで、塗布粒子量をコントロールできる。
【００１５】
多孔層４１は、捕集部１０又はフィルタ装置５で除去できなかった交雑物４をグラフェン層２６に接触させないために設けられる。多孔層４１は、例えば、数十μｍ幅を持つ酸化グラフェンなどのパウダー状またはフレーク状の絶縁体を塗布することで形成される。揮発性の高いアルコールなどの溶媒を利用し酸化グラフェンを溶解させ、超音波で充分拡散させたのちにナノ粒子層４０上に塗布する。この工程によって、ナノ粒子層４０に支持され、多孔体の様相を呈した酸化グラフェンから多孔層４１が形成される。したがって、図５に示すように、飛来する捕集部１０又はフィルタ装置５で除去できなかった交雑物４の通過を防ぐ一方で、被検出分子１を容易に通過する多孔層４１が形成される。
【００１６】
一度、多孔層４１に飛来した交雑物４は連続して飛来する交雑物４やガスの印圧によって、押し出されるように離脱してゆく。このため、フィルタのように高い圧力印加を必要とはせずに交雑物４を除去できる。多くの交雑物４が多孔層４１に付着しても、常に多孔の様態は保たれるため、隙間を通過して被検出分子１はナノ粒子層４０に到達し、センサー性能が維持される。
【００１７】
次に被検出分子１の検出について説明する。
【００１８】
ナノ粒子層４０の有機物プローブに被検出分子１が捕捉されると、ＧＦＥＴ２１の出力が変化する。グラフェンが１層の場合にはゼロギャップとなっているため、通常はソース電極２７とドレイン電極２８との間に電気が流れ続けている。グラフェンの層数が２層、３層と増えるとバンドギャップが生じるが、厳密な理論値から考えられるよりも実際の系ではバンドギャップが比較的小さい。ゲート絶縁層２５がシリコン酸化膜程度の誘電率の場合には、ソース電極２７とドレイン電極２８との間に電気が流れ続けることが多い。従って、グラフェン層２６はグラフェンの単層構造に限らず、５層以下程度のグラフェンの積層体で構成してもよい。
【００１９】
ナノ粒子に結合した有機物プローブの近傍に飛来した被検出分子１は、水素結合の力等により有機物プローブに引き付けられ、場合によっては接触する。被検出分子１の接触が起こると、有機物プローブとの間で電子のやり取りが発生し、ナノ粒子層４０に接するグラフェン層２６に電気的変化を伝える。ナノ粒子層４０からグラフェン層２６に伝えられた電気的な変化は、ソース電極２７とドレイン電極２８との間の電気の流れを乱すため、センサー部２１がセンサーとして機能する。
【００２０】
グラフェン層２６をチャネルとして用いたＧＦＥＴ２１によれば、極僅かな電気変化であっても顕著に出力として現れる。従って、高感度な検出素子２３を構成することができる。ＧＦＥＴ２１を用いたセンサーは、グラフェンがゼロギャップ半導体としての性質を有することから、ゲート電極２４に電圧を加えなくともソース電極２７とドレイン電極２８との間に電流が流れる傾向もみられる。従って、このままでもセンサーとして機能するが、通常はゲート電極２４に電圧を加えた状態でソース電極２７とドレイン電極２８との間に電流を流し、有機物プローブで被検出分子１を捕捉した際のゲート電極２４の電気的変化を観測する。図６は分子検出装置１００による被検出分子１の検出波形の一例を示している。有機物プローブが被検出分子１を捕捉すると、検出波形に図６に示すような変化が現れる。検出波形の信号強度への変換は種々の方法が考えられるが、例えば図６におけるＰ１とＰ２、およびピークの先端であるＰ３との面積から算出した値を強度として設定する。ただし、必ずしもこの方法に限られるものではない。
【００２１】
上記した検出素子２３による被検出分子１の検出において、有機物プローブに捕捉された被検出分子１からＧＦＥＴ２１への電子の移動が高いほどセンサーとしての機能が高くなる。ＧＦＥＴ２１を用いたセンサーは、高感度なＦＥＴセンサーとされており、カーボンナノチューブを用いたセンサーと比べて３倍ほど感度を向上させることができる。従って、被検出分子１の高感度な検出が可能になる。
【００２２】
次にＧＦＥＴ２１のグラフェン層２６と電極２７、２８の構造とその形成方法について説明する。
【００２３】
図７は、ＧＦＥＴ２１を上部から見た図である。図７（ａ）に示すように、マイクロメータ幅で電極２７、２８をほぼ正方形に加工し、その上にほぼ正方形のグラフェン層２６を設ける。この手法で作製すると、ボトムゲート・トップコンタクト（ＢＧＴＣ）と呼ばれる有機半導体ＦＥＴになる。また、電極をあらかじめ基板２４上に設置して、後にグラフェンを電極２７、２８上に転写してグラフェン層２６を形成すると、ボトムゲート・ボトムコンタクト（ＢＧＢＣ）と呼ばれる有機半導体ＦＥＴになる。いずれの手法を用いてもよいが、グラフェンへの応力負荷が少ないのは、あらかじめ電極２７、２８を設置しておくＢＧＢＣのタイプである。グラフェンを電極２７、２８形成後に設置した方が電極２７、２８のレジストパターニングによる負荷を避けることができる。グラフェン層２６を正方形に加工した場合にはＦＥＴの動作に従って、電極２７と電極２８の間のグラフェンのみが電界がかかる有効面積として機能する。したがって、グラフェンを電極幅（Ｈ）よりも大きく加工されている。これはグラフェンのエッジ（端）部分を有効面積に含めないことを意味している。エッジ部分を有効面積に含めずに加工すれば、図７（ｂ）のように加工しても構わない。また図７（ｃ）のように加工すれば、電極２７、２８の間に高電流を意図的に流すとエッジ部分の抵抗が高いために発熱が誘発されやすくなるため、熱の影響によってガス成分の離脱を容易にする。したがって、測定後に吸着して残留したガス成分の除去ができる。検出素子２３は、上記したように加工されたＧＦＥＴ２１にナノ粒子層４０と多孔層４１を塗布して形成される。
【００２４】
次に検出器２０を用いたパターン認識の一例を説明する。
【００２５】
図８は、検出素子２３を含んだ検出器２０の認識結果を示す図である。図８（ａ）に示すように、検出器２０は、６つの検出素子２３を含む。この６つの検出素子２３を検出素子２３Ａ、検出素子２３Ｂ、検出素子２３Ｃ、検出素子２３Ｄ、検出素子２３Ｅおよび検出素子２３Ｆと呼ぶ。検出素子２３Ａ〜Ｆのうち、少なくとも一部には種類が異なる有機物プローブ、すなわち被検出分子１との結合強度が異なる複数の有機物プローブが設けられている。複数の有機物プローブは、それぞれ被検出分子１と相互作用を有するが、被検出分子１との結合強度が異なるため、強度が異なる検出信号が出力される。検出素子２３Ａ〜Ｆからの検出信号は、それぞれ有機物プローブの被検出分子１との結合強度により信号強度が異なっている。
【００２６】
検出素子２３Ａ〜Ｆで検出された信号は、図２に示す識別器３０に送られて信号処理される。識別器３０は、検出素子２３Ａ〜Ｆからの検出信号を強度に変換し、これら検出信号の強度差に基づく信号パターン（例えば図８（ｂ）に示す６つの検出信号のパターン）を解析する。識別器３０には、検出する物質に応じた信号パターンが記憶されており、これら信号パターンと検出素子２３Ａ〜Ｆで検出された信号パターンとを比較することによって、検出器２０で検出された被検出分子１の識別が行われる。このような信号処理を、ここではパターン認識法と呼ぶ。パターン認識法によれば、例えば指紋検査のように被検出物特有の信号パターンにより被検出分子１を検出および識別することができる。従って、ｐｐｔからｐｐｂオーダーの極低濃度のガス成分（被検出分子１）を選択的にかつ高感度に検出することができる。
【００２７】
上述したパターン認識法を適用することによって、検出器２０に導かれる検出対象ガス３に不純物が混入しているような場合においても、被検出分子１を選択的にかつ高感度に検出および識別することができる。例えば、被検出分子１が有毒な有機リン化合物の代表的な材料であるメチルホスホン酸ジメチル（ＤＭＭＰ、分子量：１２４）の場合、化学的な構造が近いジクロルボスのようなリン酸を持つ農薬、さらにマラチオン、クロルピリホス、ダイアジノンのような使用例が多い有機リン系農薬が存在する。これらの物質の誤検知を防ぐためには、図８（ｂ）に示すような信号パターンにより識別するのが有効である。すなわち、上述した各物質により検出素子２３Ａ〜Ｆで検出される信号パターンが異なるため、パターン認識法を適用することで、分子量が近く、また構成元素も似通っている不純物が混入していても、被検出分子１を選択的にかつ高感度に検出することができる。
【００２８】
次に、有機物プローブについて詳述する。有機物プローブを構成する有機化合物は、被検出分子１に対する反応基として、例えばヒドロキシ基（−ＯＨ）を有している。ただし、反応基のみではほとんどガス成分と反応しない。そこで、水素結合性等を高めるために、反応基（−ＯＨ）の周囲をフッ素化した構造を有する有機化合物を適用することが好ましい。このような有機物プローブを構成する有機化合物の代表例を図９に示す。反応基（−ＯＨ）の周囲をフッ素化するために、例えば反応基（−ＯＨ）が結合した炭素に、トリフルオロメチル基（−ＣＦ３）やヘキサフルオロエチル基（−Ｃ２Ｆ５）等のフッ素化アルキル基を隣接基として導入する。そのような置換アルキル基を有する構造としては、１，１，１，３，３，３−ヘキサフルオロ−２−フェニル−２−プロパノール構造等が挙げられる。この構造は、電気陰性度が高いフッ素により反応基（ＯＨ基）の活性を高める効果を有する。なお、反応基はヒドロキシ基（−ＯＨ）に限らず、アミノ基（−ＮＨ２）等であってもよい。
【００２９】
有機物プローブを構成する有機化合物は、図９の有機化合物９Ａ〜Ｄに示すように、上述した反応基と隣接基とを有するヘッド部ＨＳと、ナノ粒子等に対する設置部位となるベース部ＢＳと、ヘッド部ＨＳとベース部ＢＳとを結合する結合部ＣＳとを有する有機化合物で構成することが好ましい。ヘッド部ＨＳは、反応基と隣接基を有する１価の芳香族炭化水素基であることが好ましい。ベース部ＢＳは、チオール基、水酸基、カルボニル基、およびアミノ基などナノ粒子と結合する反応基であることが好ましい。結合部ＣＳは単結合または２価基（二重結合のこと）であり、メチレン基やエチレン基等のアルキレン基であってもよいが、エーテル結合（−Ｏ−）、エステル結合（−Ｃ（＝Ｏ）Ｏ−）、カルボニル結合（−ＣＯ−）、アミド結合（−ＮＨ−ＣＯ−）、イミド結合（−ＣＯ−ＮＨ−ＣＯ−）等の特性基を有する２価の有機基であることが好ましい。
【００３０】
実施形態の分子検出装置１００で得られた被検出分子１の検出および識別結果は、情報ネットワークを介して送信して活用するようにしてもよい。図１０は被検出分子１の検出情報を、情報ネットワークを介して送信する機能、および検出情報と情報ネットワークから取得する参照情報とを照合する機能を備える情報処理部３０が付属または内設された分子検出装置１００の構成例を示している。情報処理部４０は、被検出分子１の検出情報を送信する情報送信部３１と、参照情報を受信する情報受信部３２と、検出情報を参照情報と照合する情報照合部３３とを具備している。情報処理部４０は、情報送信機能および情報受信機能を含む情報照合機能の一方のみを有していてもよい。
【００３１】
被検出分子１の検出情報は、情報送信部３１からネットワークを介して情報利用者に伝達される。被検出分子１の検出情報を既存の参照情報と照合するために、ネットワークを介して情報受信部３２により参照情報を取得する。取得した参照情報は情報照合部３３により検出情報と照合される。情報を外部のネットワークから取得して参照することで、多くの情報を持ち歩いて解析する機能を外部に代替できるため、分子検出装置１００をより一層小型化して携帯性を高めることができる。さらに、ネットワーク伝達手段を用いることで、パターン認識法における新たな信号パターンを即時に取得することもできる。情報を受信した側では、この情報を基に次の行動を起こすことができる。携帯性のある分子検出装置１００を各所に配置しておき、得られるデータを各所から集めて分析し、異常事態の避難誘導等に役立てるといった使い方ができる。ネットワークと分子検出装置１００とを結合することで、従来では達し得なかった多くの使い方が生み出され、産業的な価値が向上する。
【００３２】
第１の実施形態の分子検出装置１００は、ナノ粒子層４０の上に多孔体からなる多孔層４１を設けることで、捕集部１０又はフィルタ装置５で除去できなかった交雑物４が有機物プローブと接触することを抑制できる。また、被検出分子１は、多孔層４１を通過できるため、有機物プローブと接触して電気的に検出される。したがって、空気の取り込みに高い圧力を要する目の細かいフィルタを用いなくても、被検出分子１の検出ができる。
【００３３】
なお、グラフェン層２６は、グラフェン上にピレン環のような構造を持つ有機物プローブが含まれていてもよい。有機物プローブの化学構造は、例えば、図１１に示す化合物１１Ａ〜Ｆである。有機物プローブを構成する有機物は溶剤に溶ける性質を有するため、溶剤に溶かした溶液として塗布することでグラフェン層２６に有機物プローブを設置することができる。有機物プローブはグラフェンと相互作用を得られやすくするために、ピレン環のような構造を有した部位を有することが好ましい。ピレン環のような構造を持つ分子はグラフェンの炭素が構成する六角形状のπ電子系と相互作用を持ち、いわゆるπ―πスタッキングと呼ばれる相互作用状態を形成する。低濃度のプローブ分子を溶媒に溶かしてグラフェンに塗布すると、ピレン環とグラフェンとの間でπ―πスタッキングが形成され、グラフェン上にプローブ分子が整列して固定化される。このような自己配列作用を利用してグラフェン層２６上に有機物プローブを設置することができる。
【００３４】
また、上記したグラフェン上にピレン環のような構造を持つ有機物プローブが含まれたグラフェン層２６を用いる場合、多孔層４１のパウダー状またはフレーク状の物質（酸化グラフェン）を支持する物体を形成すれば、ナノ粒子層４０は省略してもよい。
【００３５】
（第２の実施形態）
ここでは、第２の実施形態の分子検出装置について説明する。主に、第１の実施形態と異なる点を説明する。
【００３６】
具体的には、第２の実施形態に係る分子検出装置は、第１の実施形態と比べて検出素子２３の配置が異なる。
【００３７】
図１２（ａ）は、複数の検出素子２３を配置する例を示す図である。六角形の面４５を中心に、周辺を覆うように複数の検出素子２３が配置して、検出素子２３の群Ａ〜Ｆを含む検出器２０´を形成する。検出素子２３の群Ａ〜Ｆは、構成する群の検出素子２３の有機物プローブは、同じである。また、群ごとに検出素子２３の有機物プローブを異なるものに変換すると、検出素子２３の群Ａ〜Ｆからの検出信号はそれぞれ異なる検出信号を出力する。六角形の面４５にメタルオーガニックフレイムワーク（ＭＯＦ）と呼ばれる有機物と金属元素との複合体による多孔質体を設置しておくと、ガス流路１１に沿って流れてきたガス成分の一部を吸収して保持する。ＭＯＦを後で取り出して加熱してガス成分を取り出し、ガスクロマトグラフィーにより検出すると、検出素子２３の検出結果との一致を確認することもできる。ただしこの手法はリアルタイム性を欠くため、グラフェンＦＥＴの検出結果の確認に用いる手法である。図１２（ｂ）に示すように、検出対象ガスは六角形の面４５の直上から導入する。検出対象ガスは上方からガス流路１１に沿って六角形の面４５に衝突してから周囲にあるマルチアレイ状の複数の検出素子２３に導かれる。
【００３８】
第２の実施形態の分子検出装置は、六角形の面４５を中心に、周辺を覆うように複数の検出素子２３を配置して、検出対象ガスを六角形の面４５の直上から導入することで、検出対象ガスを各々の検出素子２３に均一に暴露することができ、同時に複数の検出信号を得ることができる。このため、検出対象ガス中の被検出分子が分解変化する状態でもすべての検出素子２３の群で同時に捉えることが可能である。
【００３９】
（実施例１）
第２の実施形態の分子検出装置の具体的な実施例およびその評価結果について説明する。
【００４０】
まず、ＧＦＥＴ２１と有機物プローブとを組み合わせた検出素子２３を、以下のようにして用意する。グラフェン層２６は、グラファイトからの剥離法により基板へ転写して形成したり、化学気相成長法（ＣＶＤ）を利用して金属の表面に成長させることにより形成する。金属の表面に成長した単層や複数層のグラフェンをポリマー膜に転写して、所望の電界効果トランジスタ（ＦＥＴ）作製用の半導体基板２４に再度転写する。例えば、銅箔表面に１０００℃程度の条件でメタンガスをフローしたＣＶＤによりグラフェン層２６を形成する。
【００４１】
次に、ポリメチルメタクリレート膜を、スピンコート法を用いて４０００ｒｐｍで塗布し、逆面の銅箔膜を０．１Ｍの過硫酸アンモニウム溶液でエッチングし、溶液に浮遊したグラフェン膜を回収する。これでグラフェン膜がポリメチルメタクリレート膜側へ転写される。十分に表面を洗浄した後に、これを半導体基板２４上に再度転写する。余分なポリメチルメタクリレート膜は、アセトンにより溶解させて除去する。半導体基板２４に転写されたグラフェンには、レジストを塗布してパターニングし、酸素プラズマによって電極間隔１０μｍのパターンを形成する。電極を蒸着してソース電極２７とドレイン電極２８を設けたＦＥＴ構造を形成する。半導体基板２４表面に形成されている酸化膜上にグラフェンが配置され、グラフェンがソース電極２７とドレイン電極２８で挟まれると共に、半導体基板２４側をゲート電極とするＦＥＴ型のセンサー構造が形成される。この工程は順序を逆にしてもよい、すなわち電極を先に作製して後からグラフェンを転写して加工する。
【００４２】
次に図９に示した化合物９Ａ、化合物９Ｃ、化合物９Ｄを用いて、有機物プローブが被膜した金ナノ粒子を形成し、金ナノ粒子が１０μｇ／１ｍＬとなるように有機溶剤のジクロロメタンまたはクロロホルムに溶解してグラフェン層２６に塗布して、ナノ粒子層４０を形成する。有機物プローブが被覆した金属ナノ粒子（Ｏｒｇａｎｏ−ｍｏｄｉｆｉｅｄＭｅｔａｌ Ｎａｎｏｐａｒｔｉｃｌｅｓ）の作り方として次の方法を採用する。１ｇのテトラクロロ金酸水和物を溶解し、水溶液６０ｍＬに界面活性作用を持つテトラオクチルアンモニウムブロミド３ｇを加える。トルエン溶液１００ｍＬを入れて撹拌する。次に化合物９Ａを加えてさらに撹拌を続ける。水素化ホウ素ナトリウム１ｇを溶解した水溶液を加えて撹拌し、このまま数時間撹拌する。撹拌を止めて静置した後に、トルエン層を取り出して溶媒を除去し、金属ナノ粒子を回収する。また、化合物９Ａの代わりとして、化合物９Ｃ、化合物９Ｄを使って同様に金属ナノ粒子を作成する。これらはチオール基を有しており、金属との間で結合を作る。金属ナノ粒子の直径はおよそ３ｎｍとなる。図１２に示すように、検出器２０´に３つの検出素子２３の群Ａ〜Ｃを設け、群Ａに化合物９Ａ、群Ｂに化合物９Ｃ、群Ｃに化合物９Ｄを含む検出素子２３を設置する。６面あるが残りの３つも同様に群Ａに化合物９Ａ、群Ｂに化合物９Ｃ、群Ｃに化合物９Ｄを含む検出素子２３を設置する。化合物９Ａ、化合物９Ｃ、および化合物９Ｄは、それぞれ被検出分子１（ＤＭＭＰ）との結合強度が異なる。六角形４５にはＨＫＵＳＴ―１（銅トリカルボン酸ＭＯＦ）を薄く膜状にして設置し、上部から通気が可能なようにグラスフィルタで押さえる。
【００４３】
μサイズの大きさを持つ酸化グラフェンパウダー（平均２５μｍ）をナノ粒子層４０の上より塗布して充分に乾燥させ、グラフェンパウダーが固形化した多孔層４１を形成する。多孔層４１の上にセンサー部２１から離脱しないように目の粗いガラス繊維で抑える。次に、被検出物１としてＤＭＭＰを用意し、その蒸気を窒素ガスで約５ｐｐｂの濃度となるように希釈し、この希釈ガスを検出器に送って得られる検出結果は、相対的な強度表示となって出力される。その結果が表１である。
【表１】
2019168276.tif 000003
【００４４】
（実施例２）
実施例２は、ナノ粒子として、ナノカーボン（ナノダイヤモンド）を使う。１ｇのナノダイヤモンド（東京化成工業、直径はおよそ１０ｎｍ以下）が分散した１０ｍＬ水溶液中に被覆する図９に示す化合物９Ｂ０．３ｇの溶解したメタノール溶液３０ｍＬを加える。続けてトルエン１ｍＬを加えて激しくかき混ぜる。化合物９Ｂがナノダイヤモンドに付着して親油性へと変わり、ナノダイヤモンドはトルエン中に移行する。トルエン層を取り出して溶媒を除去し、ナノダイヤモンドを回収する。化合物９Ｂはカルボキシル基を有しており、ナノダイヤモンド表面のＯＨとイオン的に結合を作る。化合物９Ｂの代わりとして、たとえば図１１に示す化合物１１Ｅやオクタン酸を使って同様にナノ粒子を作成する。
【００４５】
続いて実施例２と同様にして検出器２０´を構成し、被検出物１としてＤＭＭＰを用意し、その蒸気を窒素ガスで約５ｐｐｂの濃度となるように希釈し、この希釈ガスを検出器に送って得られる検出結果は、相対的な強度表示となって出力される。その結果が表２である。
【表２】
2019168276.tif 000004
【００４６】
実施例１から実施例２の検出結果において、群Ａ〜Ｃと群Ｄ〜Ｆで同様の検出信号の強度を得た。これは、検出対象ガス３を六角形の面４５の直上から導入することで、検出対象ガス３を群Ａ〜Ｆに均一に暴露できることを示している。また、実施例１から実施例２の検出結果において、他の群と比べて検出信号の強度が２桁以上低い場合は「０」と表記する。被検出分子１の検出結果は、群Ａ〜Ｃおよび群Ｄ〜Ｆの信号強度差に基づく検出信号パターンを示しており、このような検出信号の強度のパターンに基づいて被検出分子１を識別する。この手法によりｐｐｂオーダーの極低濃度の被検出分子１を選択的にかつ高感度に検出することができることが分かる。
【００４７】
本発明のいくつかの実施形態を説明したが、これらの実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、説明の範囲や要旨に含まれると同様に、特許請求の範囲に記載された発明とその均等の範囲に含まれるものである。
【符号の説明】
【００４８】
１・・被検出分子、２・・、３・・検出対象ガス、４・・交雑物、５・・フィルタ装置、６・・分子分配装置、１０・・捕集部、１１・・ガス流路、２０・・検出器、２１・・センサー部、２３・・検出素子、２４・・半導体基板、２５・・絶縁膜、２６・・グラフェン層、２７・・ソース電極、２８・・ドレイン電極、３０・・識別器、４０・・ナノ粒子層、４１・・多孔層、４５・・六角形の面、１００・・第１の実施形態に係る分子検出装置
【図１】
2019168276.tif 000005
【図２】
2019168276.tif 000006
【図３】
2019168276.tif 000007
【図４】
2019168276.tif 000008
【図５】
2019168276.tif 000009
【図６】
2019168276.tif 000010
【図７】
2019168276.tif 000011
【図８】
2019168276.tif 000012
【図９】
2019168276.tif 000013
【図１０】
2019168276.tif 000014
【図１１】
2019168276.tif 000015
【図１２】
2019168276.tif 000016